(57)【特許請求の範囲】
【請求項１】
その周辺に取り付けた複数本の下部側の固定支柱によって支持された単数又は複数の固定棚板と、前記各々の固定支柱の上部側の軸芯部軸方向に設けた雌ネジ部に螺合される雄ネジ部を有する上部側の可動支柱と、この各可動支柱を回動可能に取り付けることによって当該各可動支柱と共に上下方向へ移動可能に支持された可動棚板と、この可動棚板を上下方向へ移動させる連動機構とから成り、前記可動支柱を前記可動棚板へ回動可能に取り付けるに当たり、当該可動棚板の棚部の下側に所定間隔を空けて支柱取付部を設けてこの支柱取付部に前記可動支柱を回動可能に取り付け、前記可動棚板と支柱取付部の周囲を枠体で覆うと共に、この枠体で覆われた中に前記連動機構を設け、この連動機構を前記各可動支柱に取り付けたチェーンスプロケットと、この各チェーンスプロケットに掛け渡されたチェーンと、前記可動支柱の少なくとも１つに取り付けたところの回転治具によって手動で回転させることのできるヘッド部とで構成したことを特徴とする、棚体。
【請求項２】
その周辺に取り付けた複数本の下部側の固定支柱によって支持された単数又は複数の固定棚板と、前記各々の固定支柱の上部側の軸芯部軸方向に設けた雌ネジ部に螺合される雄ネジ部を有する上部側の可動支柱と、この各可動支柱を回動可能に取り付けることによって当該各可動支柱と共に上下方向へ移動可能に支持された可動棚板と、この可動棚板を上下方向へ移動させる連動機構とから成り、前記可動支柱を前記可動棚板へ回動可能に取り付けるに当たり、当該可動棚板の棚部の下側に所定間隔を空けて支柱取付部を設けてこの支柱取付部に前記可動支柱を回動可能に取り付け、前記可動棚板と支柱取付部の周囲を枠体で覆うと共に、この枠体で覆われた中に前記連動機構を設け、この連動機構を前記各可動支柱に取り付けたチェーンスプロケットと、この各チェーンスプロケットに掛け渡されたチェーンと、前記各可動支柱の少なくとも１本のものに回転駆動力を与える回転駆動手段とで構成しことを特徴とする、棚体。
【請求項３】
その周辺に取り付けた複数本の下部側の固定支柱によって支持された単数又は複数の固定棚板と、前記各々の固定支柱の上部側の軸芯部軸方向に設けた雌ネジ部に螺合される雄ネジ部を有する上部側の可動支柱と、この各可動支柱を回動可能に取り付けることによって当該各可動支柱と共に上下方向へ移動可能に支持された可動棚板と、この可動棚板を上下方向へ移動させる連動機構とから成り、前記可動支柱を前記可動棚板へ回動可能に取り付けるに当たり、当該可動棚板の棚部の下側に所定間隔を空けて支柱取付部を設けてこの支柱取付部に前記可動支柱を回動可能に取り付け、前記可動棚板と支柱取付部の周囲を枠体で覆うと共に、この枠体で覆われた中に前記連動機構を設け、この連動機構を前記各可動支柱に取り付けたチェーンスプロケットと、この各チェーンスプロケットに掛け渡されたチェーンと、前記可動支柱の少なくとも１つに取り付けたところの回転治具によって手動で回転させることのできるヘッド部と、前記各可動支柱の少なくとも１本のものに回転駆動力を与える回転駆動手段と、で構成したことを特徴とする、棚体。
【請求項４】
前記固定支柱が４本設けられ、前記各固定棚板が矩形状に形成され、この固定棚板の四隅に前記固定支柱がそれぞれ取り付けられていることを特徴とする、請求項１乃至３のいずれか１項に記載の棚体。
【発明の詳細な説明】
【技術分野】
【０００１】
本発明は、棚板の高さを容易に調節することができる棚体に関するものである。
【背景技術】
【０００２】
ラックや収納棚等の棚体は、物品を収納するもので、部屋の隅に置いたり、押入れの中に入れたりして使用されている。この棚体の中には、棚板の高さを調節することができるものが知られている（特許文献１参照。）。
【特許文献１】実用新案登録第３１０５２７３号公報
【発明の開示】
【発明が解決しようとする課題】
【０００３】
この特許文献１に記載されている棚体は、対向する２枚の背板にダボ穴を同じ高さに各々２箇所（合計４箇所）埋め込み、これら４つのダボ穴に金属ダボからなる支持部材を挿入して取り付け、これら支持部材上に棚板を載置してなるものである。同じ高さにある４つのダボ穴（これら４つのダボ穴をダボ穴群ということがある。）は、２枚の背板の高さ方向に所定の間隔をおいて複数設けられており、支持部材を挿入して取り付けるダボ穴群を変えることにより、棚板の高さを調節することができる。しかし、棚板の高さを調節するには、支持部材上に載置した棚板を支持部材上から取り外し、４つの支持部材をダボ穴から取り外してから所望の高さのダボ穴群の４つのダボ穴にそれぞれ挿入して取り付けるので、棚板の高さ調節作業が面倒である。また、支持部材を挿入して取り付けるダボ穴の位置は特定されているために、棚板の高さの微調節を行えないという問題があった。
【０００４】
本発明は、前記課題を解決するためになされたものであって、その目的は、棚板の高さを容易に調節することができる上に棚板の高さの微調節を行える棚体を提供することにある。
【課題を解決するための手段】
【０００５】
前記の目的を達成するための本発明に係る棚体は、その周辺に取り付けた複数本の下部側の固定支柱によって支持された単数又は複数の固定棚板と、前記各々の固定支柱の上部側の軸芯部軸方向に設けた雌ネジ部に螺合される雄ネジ部を有する上部側の可動支柱と、この各可動支柱を回動可能に取り付けることによって当該各可動支柱と共に上下方向へ移動可能に支持された可動棚板と、この可動棚板を上下方向へ移動させる連動機構とから成り、前記可動支柱を前記可動棚板へ回動可能に取り付けるに当たり、当該可動棚板の棚部の下側に所定間隔を空けて支柱取付部を設けてこの支柱取付部に前記可動支柱を回動可能に取り付け、前記可動棚板と支柱取付部の周囲を枠体で覆うと共に、この枠体で覆われた中に前記連動機構を設け、この連動機構を前記各可動支柱に取り付けたチェーンスプロケットと、この各チェーンスプロケットに掛け渡されたチェーンと、前記可動支柱の少なくとも１つに取り付けたところの回転治具によって手動で回転させることのできるヘッド部とで構成したことを特徴とする。
【０００６】
本発明はまた、前記連動機構を、前記各可動支柱に取り付けたチェーンスプロケットと、この各チェーンスプロケットに掛け渡されたチェーンと、前記各可動支柱の少なくとも１本のものに回転駆動力を与える回転駆動手段とで構成しことを特徴とする。
【０００７】
本発明はさらに、前記連動機構を、前記各可動支柱に取り付けたチェーンスプロケットと、この各チェーンスプロケットに掛け渡されたチェーンと、前記可動支柱の少なくとも１つに取り付けたところの回転治具によって手動で回転させることのできるヘッド部と、前記各可動支柱の少なくとも１本のものに回転駆動力を与える回転駆動手段と、で構成したことを特徴とする。
【０００８】
そして、本発明は、前記固定支柱を４本設け、前記各固定棚板が矩形状に形成され、この固定棚板の四隅に前記固定支柱がそれぞれ取り付けられていることを特徴とする。
【発明の効果】
【０００９】
以上説明したように本発明に係る棚体によれば、各支柱がそれぞれ可動支柱と固定支柱とからなり、これら可動支柱と固定支柱とが連結機構によりそれぞれ連結され、複数の可動支柱のうちの１つの可動支柱の回転により残りの可動支柱が連動して回転し、複数の可動支柱の全部が上方又は下方の同一方向に移動する連動機構を設けたことで、１つの可動支柱を回転すると、連動機構により残りの可動支柱が連動して回転して、複数の可動支柱の全部が上方又は下方の同一方向に移動し、可動支柱に取り付けられている可動棚板が上方又は下方に移動する。従って、１つの可動支柱の操作により可動棚板を移動させることができるので、可動棚板の高さを容易に調節することができると共に可動棚板の高さの微調節を行うことができる。
【発明を実施するための最良の形態】
【００１０】
以下、本発明に係る棚体を添付図面に基づいて詳述する。
【００１１】
図１は本発明に係る第１の棚体の一例を示す図である。図２及び図３は本発明に係る連動機構の一例を示す図である。本発明に係る棚体は、図１に示すように、高さ方向に延びる複数の支柱２と、これら支柱２に取り付けられるところの棚板を構成する可動棚板３と固定棚板４、４とを有するものである。本発明に係る棚体１は、ラックや収納棚等で、物を可動棚板３や固定棚板４、４上に載置して収納するものであり、特に限定されるものではない。支柱２の数は、特に限定されず、例えば、４本であることが好ましい。本発明の実施の形態では支柱２を４本設けた場合について説明するが、これに限定されるものではない。
【００１２】
棚板を構成する可動棚板３や固定棚板４、４は、物を載置することができれば、特に限定されない。可動棚板３や固定棚板４、４の数（段数）は、特に限定されず、例えば、全部で３段であることが好ましい。本発明の実施の形態では可動棚板３と固定棚板４、４を３段に設けた場合について説明するが、これに限定されるものではない。可動棚板３や固定棚板４、４は、３段とも同じものであってもよいし、異なるものであってよく、例えば、１段目（上段）の可動棚板３と、２、３段目の固定棚板４、４とが異なって形成されている。
【００１３】
可動棚板３は、物が載置され、矩形平板状に形成された棚部３ａと、この棚部３ａと略同じ矩形平板状に形成され、棚部３ａの下面に支持部材３ｆを介して所定の間隔をあけて取り付けられる支柱取付部３ｂと、この支柱取付部３ｂの４辺の端部からそれぞれ下方に延び、支柱取付部３ｂの下方を覆い隠すように設けられた板状の枠体３ｃと、支柱取付部３ｂの四隅近傍に設けられ、支柱２が挿入されて貫通する貫通孔３ｄとからなる。固定棚板４は、例えば、物が載置され、矩形平板状に形成された棚部４ａと、この棚部４ａの４辺の端部に設けられた枠部材４ｂと、棚部４ａの四隅に設けられ、支柱２が挿入されて嵌合され支柱２の所定の箇所に固定される円筒状の固定部４ｃとからなる。
【００１４】
本発明に係る棚体１は、図１〜図３に示すように、各支柱２が、それぞれ高さ方向に２つに分割された可動支柱２１と固定支柱２２とからなり、これら可動支柱２１と固定支柱２２とを、固定支柱２２に対して可動支柱２１の回転により当該可動支柱２１が上下方向に移動可能に係合する連結機構５で連結し、可動支柱２１を回転可能に可動棚板３へ取り付け、４つの可動支柱２１のうちの１つの可動支柱２１の回転により残りの可動支柱２１が連動して回転し、複数の可動支柱２１の全部が上方又は下方の同一方向に移動する連動機構６を設けたことに特徴がある。
【００１５】
支柱２は、上述したように、高さ方向に２つに分割された可動支柱２１と固定支柱２２とからなり、これら可動支柱２１と固定支柱２２とが連結機構５によりそれぞれ連結されている。固定支柱２２は、ラック等に支柱２として用いられているもの等であり、例えば、パイプ状のものが用いられる。固定支柱２２の下部近傍と中央部より若干上部よりの２箇所に、固定棚板４、４がそれぞれ取り付けられている。また、固定支柱２２の上部設けた雌ネジ部５１内には、連結機構５を構成する可動支柱２１の雄ネジ部２１ａが螺合されている。
【００１６】
可動支柱２１は、特に限定されないが、例えば、雄ネジ部２１ａとヘッド部２１ｂとから成るボルト状に形成されている。すなわち、可動支柱２１は、例えば、ボルト等である。このように可動支柱２１をボルトで形成した場合には、可動支柱２１自身が連結機構５を構成する構成要素となる。連結機構５は、固定支柱２２に対して可動支柱２１を回転させることより、当該可動支柱２１を上下方向へ移動可能に係合させるものであり、可動支柱２１の雄ネジ部２１ａと固定支柱２２の雌ネジ部５１とからなる。
【００１７】
可動支柱２１のヘッド部２１ｂは、六角柱状であって可動棚板３の支柱取付部３ｂの貫通孔３ｄを貫通できない大きさで形成されていることが好ましい。このヘッド部２１ｂが棚部３ａと支柱取付部３ｂとの間に位置されて、可動支柱２１を固定支柱２２に対して回転させるための操作部となっている。
【００１８】
可動支柱２１の雄ネジ部２１ａの外径は、可動棚板３の貫通孔３ｄの径より小さな寸法、例えば、若干小さな寸法で形成されていることが好ましい。この可動支柱２１の雄ネジ部２１ａの軸回りにワッシャー１１を介して支柱取付部３ｂの貫通孔３ｄが位置される。すなわち、ワッシャー１１を介して可動支柱２１の雄ネジ部２１ａが支柱取付部３ｂの貫通孔３ｄを貫通し、この貫通した雄ネジ部２１ａにワッシャー１２及び回転許容部材９が第１ナット１３で固定されている。
【００１９】
回転許容部材９は、可動支柱２１のヘッド部２１ｂと第１ナット１３とで可動棚板３の支柱取付部３ｂに可動支柱２１を締め付けて取り付けたとき、可動棚板３（支柱取付部３ｂ）に対して可動支柱２１が確実に回転するようにするためのものである。回転許容部材９としては、可動棚板３に対して可動支柱２１を回転可能に取り付けることができれば、特に限定されず、例えば、対向する平板リング状の一対のリング片９ａと、これらリング片９ａ間に設けられ、リング片９ａをその軸を中心として回転可能に支持する多数のベアリング９ｂと、これらベアリング９ｂの外周に設けられ、ベアリング９ｂがリング片９ａ間から逸脱しないように支持するベアリング支持部９ｃとからなる。これにより、可動棚板３の支柱取付部３ｂの４つの貫通孔３ｄに可動支柱２１をそれぞれ取り付け、これら４つの可動支柱２１の雄ネジ部２１ａをそれぞれ固定支柱２２の雌ネジ部５１に噛合させて係合させることにより、固定支柱２２に対して可動支柱２１の回転により当該可動支柱２１が上下方向に移動するので、可動棚板３の高さを調節することができると共に可動棚板３の高さの微調節を行うことができる。
【００２０】
連動機構６は、４つ可動支柱２１のうちの１つの可動支柱２１を回転させることにより、残りの３つの可動支柱２１が連動して回転し、４つの全部の可動支柱２１が上方又は下方の同一方向に移動させるものである。連動機構６としては、特に限定されず、例えば、４つの可動支柱２１にそれぞれ設けられたチェーンスプロケット７と、これらチェーンスプロケット７に掛け渡されたチェーン８とで構成されていることが好ましい。
【００２１】
チェーンスプロケット７は、円筒状に形成されている。このチェーンスプロケット７の内周面には、可動支柱２１の雄ネジ部２１ａと噛合する雌ネジ部が設けられていることが好ましい。また、チェーンスプロケット７の内周面に雌ネジ部が設けられていなくてもよく、この場合、チェーンスプロケット７の内径は、可動支柱２１の雄ネジ部２１ａの径より若干大きな寸法で形成されていることが好ましい。チェーンスプロケット７の一端部には、放射状に突出する多数の係合歯７ａが設けられており、このチェーンスプロケット７が、可動支柱２１の雄ネジ部２１ａに係合歯７ａとは反対側の端部から雄ネジ部２１ａの軸回りに装着されるように取り付けられている。可動支柱２１の雄ネジ部２１ａには、チェーンスプロケット７を装着した後にワッシャー１４を介して第２ナット１５を噛合させて、第１ナット１３と第２ナット１５とでチェーンスプロケット７が締め付け固定されている。
【００２２】
チェーン８は、４つの可動支柱２１のチェーンスプロケット７に掛け渡されるものである。すなわち、チェーン８は、４つのチェーンスプロケット７の係合歯７ａにそれぞれ係合するもので、４つの可動支柱２１のうちの１つの可動支柱２１を回転させると、その回転に伴ってチェーン８を介して残りの３つの可動支柱２１が連動して回転させるものである。チェーン８としては、チェーンスプロケット７の係合歯７ａに係合できれば特に限定されるものではない。
【００２３】
また、本発明に係る棚体１は、可動棚板３の棚部３ａと支柱取付部３ｂとの間に位置されている操作部であるヘッド部２１ｂを、当該ヘッド部２１ｂを回転し得る工具（回転冶具（図示せず）ということがある。）により手動により回転させることにより、固定支柱２２に対して可動支柱２１の回転により可動支柱２１が上下方向に移動して可動棚板３の高さを調節することができるが、図４及び図５に示すように、４つの可動支柱２１のうちの任意の１つの可動支柱２１を自動的に回転させる回転駆動手段３０を設けるようにしても良い。
【００２４】
回転駆動手段３０は、例えば、正逆回転可能な駆動モーター３１と、チェーンスプロケット７の外周に設けられたウォームギア３２と、このウォームギア３２と噛合し、駆動モーター３１の回転軸３１ａに取り付けられたウォームホイール３３とで構成されていることが好ましい。駆動モーター３１は、正逆回転可能なものであれば特に限定されず、支柱取付部３ｂのモーター取付部３ｇに取り付けられている。この駆動モーター３１は、任意の１つの枠体３ｃに設けられたスイッチ３５により、駆動されるようになっている。スイッチ３５は、例えば、中央位置はオフ状態で、一方の端部位置が駆動モーター３１を一方の方向（正方向）に回転させる第１オン状態で、他方の端部位置が駆動モーター３１を他方の方向（逆方向）に回転させる第２オン状態である。これにより、スイッチ３５のオンオフにより駆動モーター３１が駆動されてウォームホイール３３及びウォームギア３２を介してチェーンスプロケット７を回転駆動し、固定支柱２２に対して可動支柱２１が上下方向に移動して可動棚板３の高さが自動的に調節されるように構成されている。
【００２５】
次に、本発明に係る棚体の作用を説明する。まず、図１〜図５に示すように、ワッシャー１１を介してヘッド部２１ｂが可動棚板３の棚部３ａと支柱取付部３ｂとの間に位置されるように、可動支柱２１の雄ネジ部２１ａを支柱取付部３ｂの貫通孔３ｄに挿入して貫通させ、この貫通させた雄ネジ部２１ａにワッシャー１２及び回転許容部材９を介して第１ナット１３を噛合させて取り付ける。この可動支柱２１の雄ネジ部２１ａにチェーンスプロケット７を取り付けた後に、ワッシャー１４を介して第２ナット１５を噛合させて取り付けることで、チェーンスプロケット７を可動支柱２１に固定させる。このとき、４つの可動支柱２１のチェーンスプロケット７にチェーン８を掛け渡す。このように、チェーンスプロケット７等を有する可動支柱２１を取り付けた可動棚板３の４つの可動支柱２１の噛合部２１ａを、固定支柱２２の雌ネジ部５１に係合させることで、本発明に係る棚体１が組み立てられる。また、回転駆動手段３０を備えている場合には、駆動モーター３１の回転軸３１ａに取り付けられたウォームホイール３３がチェーンスプロケット７の外周に設けられたウォームギア３２と噛合するように駆動モーター３１をモーター取付部３ｇに取り付けることで、本発明に係る棚体１が組みつけられる。
【００２６】
可動棚板３の棚部３ａと支柱取付部３ｂとの間に位置されている４つの可動支柱２１の操作部であるヘッド部２１ｂのうちの１つのヘッド部２１ｂを回転冶具を用いて一方の方向に回転させる。または、スイッチ３５を作動して駆動モーター３１を駆動させ、ウォームホイール３３及びウォームギア３２を介してチェーンスプロケット７（可動支柱２１）を一方の方向に回転させる。すると、チェーン８を介して残りの３つの可動支柱２１が連動してそれぞれの固定支柱２２に対して回転する。このように、固定支柱２２に対して可動支柱２１が回転すると、可動支柱２１の雄ネジ部２１ａと固定支柱２２の雌ネジ部５１との噛合によって、４つの可動支柱２１の全部が固定支柱２２に対して上方又は下方の同一方向に移動し、可動支柱２１に取り付けられている可動棚板３が上方又は下方に平行移動する。その結果、１つの可動支柱２１を回転させるだけの１つの操作で可動棚板３の高さを調節することができる。
【００２７】
また、可動支柱２１が回転すると、固定支柱２２に対して可動支柱２１は高さ方向の上方又は下方に回転に伴って徐々に移動するために、可動棚板３の高さの微調節を行える。また、可動棚板３の高さを調節した後に、可動棚板３に荷重が作用しても、可動支柱２１には下方に作用する力しか作用しないと共に、４つの可動支柱２１はチェーン８で連結されているので、可動支柱２１が回転することがなく、可動棚板３の高さを所望の位置に保持することができる。
【００２８】
したがって、本発明に係る棚体１、１０は、４つの可動支柱２１のうちの１つの可動支柱２１を手動又は自動で回転させることで、４つの可動支柱２１の全部が連動して回転し、可動棚板３を上方又は下方に移動させることができるので、可動棚板３の高さを容易に調節することができると共に、可動棚板３の高さの微調節を行うことができる。その結果、使用する者の身長や使用目的等に応じて可動棚板３の高さを容易にかつ微調節可能で行うことができる。
【００２９】
また、可動支柱２１を回転させる操作部であるヘッド部２１ｂが、可動棚板３の支柱取付部３ｂの上面から突出しているために、可動支柱２１を回転させ易いので、操作性が良好である。また、４つの可動支柱２１のヘッド部２１ｂのどれか１つのヘッド部２１ｂを回転させるだけで、４つの可動支柱２１を連動させて回転させ、可動棚板３の高さを調節することができるので、より操作性が良好である。
【００３０】
なお、本発明の形態では上段の可動棚板３の高さを調節し得る場合について説明したが、中段の固定棚板又は下段の固定棚板の高さを個別に調節し得るようにしてもよい。また、上段の可動棚板及び中段の固定棚板の２段の棚板の高さや３段全ての棚板の高さを調節し得るようにしてもよい。
【００３１】
すなわち、上段の可動棚板及び中段の固定棚板の２段の棚板の高さを調節する場合には、例えば、図６(ａ)に示すように、固定支柱２３の下部近傍には、下段である固定棚板４が取り付けられ、その上部内に雌ネジ部が設けられている。中段には可動棚板２９が配置され、この可動棚板２９は、前記の可動棚板３の棚部３ａと支柱取付部３ｂとが一体的に形成されたものである。この可動棚板２９の四隅近傍の貫通孔には、前記の可動支柱２１と略同じ可動支柱２５が回転可能にそれぞれ取り付けられている。可動支柱２５の上端部には、可動支柱２４の下端部が回転可能に取り付けられている。可動支柱２４の上部には上段の可動棚板３３が取り付けられている。可動支柱２５の噛合部であって中段の可動棚板２９の下面近傍には、前述と同様にチェーンスプロケット７が取り付けられ、かつ、４つのチェーンスプロケット７にはチェーン８が掛け渡されている。このように構成すると、４つの可動支柱２５のうちの１つの可動支柱２５を、例えば、回転冶具や駆動モーターを用いて一方の方向に回転させると、チェーン８を介して残りの３つの可動支柱２５が連動して回転し、上段及び中段の２段の可動棚板３３、２９が連動して上方又は下方に移動する。
【００３２】
また、３段全ての棚板の高さを調節する場合には、例えば、図６(ｂ)に示すように、固定支柱２６は、棚板が取り付けられておらず、その上部内に雌ネジ部が設けられている。下段には可動棚板２９が配置され、この可動棚板２９の四隅近傍の貫通孔には、前記の可動支柱２１と略同じ可動支柱２８が回転可能にそれぞれ取り付けられている。可動支柱２８の上端部には、可動支柱２７の下端部が回転可能に取り付けられている。可動支柱２７の略中央部及び上部には、中段と上段となる可動棚板３３、３３がそれぞれ取り付けられている。可動支柱２８の噛合部であって下段の可動棚板２９の下面近傍には、前述と同様にチェーンスプロケット７が取り付けられ、かつ、４つのチェーンスプロケット７が取り付けられ、かつ、４つのチェーンスプロケット７にはチェーン８が掛け渡されている。このように構成すると、４つの可動支柱２８のうちの１つの可動支柱２８を例えば、回転冶具や駆動モーターを用いて一方の方向に回転させると、チェーン８を介して残りの３つの可動支柱２８が連動して回転し、上段、中段及び下段の３段全ての可動棚板２９、３３，３３が連動して上方又は下方に移動する。
【産業上の利用可能性】
【００３３】
以上説明したように本発明に係る棚体は、各支柱がそれぞれ可動支柱と固定支柱とからなり、これら可動支柱と固定支柱とが連結機構によりそれぞれ連結され、複数の可動支柱のうちの１つの可動支柱の回転により残りの可動支柱が連動して回転し、複数の可動支柱の全部が上方又は下方の同一方向に移動する連動機構を設けたので、１つの可動支柱の操作により可動棚板を移動させることができ、可動棚板の高さを容易に調節することができると共に可動棚板の高さの微調節を行うことができ、汎用性に優れているものである。
【図面の簡単な説明】
【００３４】
【図１】本発明に係る第１の棚体の一例を示す斜視図である。
【図２】本発明に係る連動機構の一例を示す斜視図である。
【図３】本発明に係る連動機構の要部の一例を示す図で、（ａ）は正面図、（ｂ）は断面図、（ｃ）は正面図である。
【図４】本発明に係る第２の棚体の一例を示す斜視図である。
【図５】本発明に係る第２の棚体の連動機構の要部の一例を示す断面図である。
【図６】本発明に係る第１の棚体の他の例を示す斜視図である。
【符号の説明】
【００３５】
１  棚体
２  支柱
２１  可動支柱
２２  固定支柱
３  可動棚板
２９、３３ 可動棚板
４  固定棚板
５  連結機構
６  連動機構
７  チェーンスプロケット
８  チェーン
【図１】
0004296166.tif 000002
【図２】
0004296166.tif 000003
【図３】
0004296166.tif 000004
【図４】
0004296166.tif 000005
【図５】
0004296166.tif 000006
【図６】
0004296166.tif 000007